(57)【要約】【課題】部品点数の削減、及び小型化を図ることができるハーネス部品を提供する。【解決手段】ハーネス部品１は、複数の雄端子２とハウジング３と複数の雌端子４と複数の電線５とを備える。複数の雄端子２は、回路基板１１に接続されている。ハウジング３は、複数の挿入孔３１及び複数の端子収容穴３２を備える。挿入孔３１には、雄端子２が挿入されている。各端子収容穴３２は、各挿入孔３１に連通するとともに挿入孔３１と反対側に開口部３２１を備えている。複数の雌端子４は、各開口部３２１から各端子収容穴３２に挿入配置されている。雌端子４は、各雄端子２に端子収容穴３２の軸方向Ｘに交差する方向に弾性力を作用させつつ接触している。複数の電線５は、各雌端子４に電気的に接続されている。【選択図】図３
2020095900.tif 000002
【特許請求の範囲】
【請求項１】
回路基板に接続される複数の雄端子と、
前記各雄端子が挿入された複数の挿入孔、及び前記各挿入孔に連通するとともに前記挿入孔と反対側に開口部を備えた複数の端子収容穴を有するハウジングと、
前記各開口部から前記各端子収容穴に挿入配置され、前記各雄端子に前記端子収容穴の軸方向に交差する方向に弾性力を作用させつつ接触する複数の雌端子と、
前記各雌端子に電気的に接続された複数の電線と、を備える、ハーネス部品。
【請求項２】
前記雄端子は、前記ハウジングの前記挿入孔に、前記端子収容穴における前記開口部が形成された側と反対側から圧入されており、前記雌端子は、前記ハウジングの前記開口部から前記端子収容穴に挿入されている、請求項１に記載のハーネス部品。
【請求項３】
前記挿入孔から前記開口部側の反対側に突出した前記雄端子の外側端子部は、前記軸方向に交差する方向に屈曲されるとともに前記回路基板の厚み方向に伸縮可能なクランク部を備える、請求項１又は２に記載のハーネス部品。
【請求項４】
前記ハウジングは、前記回路基板に係合するハウジング係合部を一体に備える、請求項１〜３のいずれか一項に記載のハーネス部品。
【請求項５】
前記ハウジングには、リテーナが係止されており、前記リテーナは、前記ハウジングに対する前記リテーナの位置が仮係止位置にあるとき、前記ハウジングの前記端子収容穴に対する前記雌端子の脱着を許容し、前記ハウジングに対する前記リテーナの位置が本係止位置にあるとき、前記端子収容穴に挿入された前記雌端子の抜け止めをする、請求項１〜４のいずれか一項に記載のハーネス部品。
【発明の詳細な説明】
【技術分野】
【０００１】
本発明は、ハーネス部品に関する。
【背景技術】
【０００２】
特許文献１に記載のハーネス部品は、回路基板の厚み方向における一方側に実装される雄コネクタと、雄コネクタに嵌合された雌コネクタとを備える。
【０００３】
雄コネクタは、回路基板のスルーホールに電気的に接続される雄端子と、雄端子を収容する電気的絶縁性を有する樹脂等からなる雄ハウジングとを備える。雄ハウジングは、回路基板側の反対側に開口する有底筒状のコネクタ嵌合部を備える。コネクタ嵌合部には、その開放側から雌コネクタが嵌合される。また、雄端子は、コネクタ嵌合部の底壁に対して、前記開放側から圧入されており、雄端子の一部である電気接触部が、コネクタ嵌合部の内側に突出している。
【０００４】
雄コネクタのコネクタ嵌合部の内側に雌コネクタが嵌合されることで、電気接触部と雌コネクタの雌端子とが電気的に接続される。
【先行技術文献】
【特許文献】
【０００５】
【特許文献１】特開２００２−２１６８７０号公報
【発明の概要】
【発明が解決しようとする課題】
【０００６】
前記雌コネクタは、雄端子に電気的に接続される雌端子と、前記雌端子を収容する電気的絶縁性を有する雌ハウジングとを備えるものが考えられる。しかしながら、この場合、特許文献１に記載のハーネス部品は、雄ハウジングと雌ハウジングとの２つのハウジング部材を嵌合する必要があり、部品点数の増加や大型化を招きやすい。
【０００７】
本発明は、かかる課題に鑑みてなされたものであり、部品点数の削減、及び小型化を図ることができるハーネス部品を提供しようとするものである。
【課題を解決するための手段】
【０００８】
本発明の一態様は、回路基板に接続される複数の雄端子と、
前記各雄端子が挿入された複数の挿入孔、及び前記各挿入孔に連通するとともに前記挿入孔と反対側に開口部を備えた複数の端子収容穴を有するハウジングと、
前記各開口部から前記各端子収容穴に挿入配置され、前記各雄端子に前記端子収容穴の軸方向に交差する方向に弾性力を作用させつつ接触する複数の雌端子と、
前記各雌端子に電気的に接続された複数の電線と、を備える、ハーネス部品にある。
【発明の効果】
【０００９】
前記態様のハーネス部品において、ハウジングの各挿入孔に雄端子が挿入されており、かつ、当該ハウジングに形成された複数の端子収容穴のそれぞれに雌端子が挿入されている。それゆえ、ハウジングの数が増加することを防ぐことができ、部品点数の削減や小型化を図りやすい。
【００１０】
また、雄端子と雌端子とは、各端子収容穴内において接続される。それゆえ、雄端子を挿入孔から端子収容穴内に挿入するとともに、雌端子を開口部から端子収容穴内に挿入することで、ハウジングに対する雄端子及び雌端子の位置決めが容易である。また、複数の雌端子は、一つずつハウジングの各端子収容穴に挿入されて雄端子と接続されるため、雌端子をハウジングに組み付ける際の雌端子のガタ付きが防止される。それゆえ、ハーネス部品の生産性を向上させやすい。
【００１１】
また、雌端子は、各雄端子に前記端子収容穴の軸方向に直交する方向に弾性力を作用させつつ接触する。それゆえ、雄端子と雌端子とが、前記軸方向に互いに摺動可能である。そのため、雌端子に接続された電線が引っ張られた場合でも、雌端子と雄端子とが摺動するため、この引っ張りによる力が雄端子と回路基板との接合部に作用し難い。それゆえ、雄端子と回路基板との接続性を向上させやすい。
【００１２】
以上のごとく、前記態様によれば、部品点数の削減、及び小型化を図ることができるハーネス部品を提供することができる。
【図面の簡単な説明】
【００１３】
【図１】実施形態１における、ハーネス部品の斜視図。
【図２】実施形態１における、回路基板に取り付けたハーネス部品の平面図。
【図３】図２の、III−III線矢視断面図。
【図４】実施形態１における、ハーネス部品の背面図。
【図５】実施形態１における、ハーネス部品の作用効果を説明する断面図であって、ハウジングに対して、先に雄端子を組み付け、次に雌端子を組み付ける様子を示す図。
【図６】実施形態１における、ハーネス部品の作用効果を説明する断面図であって、ハウジングに対して、先に雌端子を組み付け、次に雄端子を組み付ける様子を示す図。
【図７】実施形態１における、ハウジングに対するリテーナの位置が、仮係止位置にあるときのハーネス部品の断面図。
【発明を実施するための形態】
【００１４】
（実施形態１）
ハーネス部品の実施形態につき、図１〜図７を用いて説明する。
本実施形態のハーネス部品１は、図１〜図３に示すごとく、複数の雄端子２とハウジング３と複数の雌端子４と複数の電線５とを備える。
【００１５】
図２、図３に示すごとく、複数の雄端子２は、回路基板１１に接続されている。図１、図４に示すごとく、ハウジング３は、複数の挿入孔３１及び複数の端子収容穴３２を備える。図３に示すごとく、挿入孔３１には、雄端子２が挿入されている。各端子収容穴３２は、各挿入孔３１に連通するとともに挿入孔３１と反対側に開口部３２１を備えている。
【００１６】
複数の雌端子４は、各開口部３２１から各端子収容穴３２に挿入配置されている。雌端子４は、各雄端子２に端子収容穴３２の軸方向Ｘに交差する方向に弾性力を作用させつつ接触している。複数の電線５は、各雌端子４に電気的に接続されている。
以後、本実施形態につき詳説する。
【００１７】
以後、端子収容穴３２の軸方向をＸ方向という。Ｘ方向において、端子収容穴３２における開口部３２１が形成された側をＸ１側といい、端子収容穴３２における挿入孔３１が形成された側をＸ２側という。
【００１８】
ハーネス部品１は、複数の雄端子２におけるハウジング３から突出した部位が回路基板１１に接続され、各雌端子４に接続された複数の電線５が図示しない制御装置等の電子機器に接続されることで、回路基板１１と電子機器との間を電気的に中継する。
【００１９】
ハウジング３は、電気的絶縁性を有する樹脂からなる。図１に示すごとく、ハウジング３は、Ｘ方向に直交するＺ方向に厚みを有する直方体状のハウジング本体部３０と、ハウジング本体部３０からＸ２側に突出したハウジング係合部３３とを有する。図４に示すごとく、ハウジング本体部３０は、Ｘ１側の面がＸ２側に向かって凹むようにして形成された端子収容穴３２を、５つ有する。
【００２０】
図４に示すごとく、５つの端子収容穴３２のうちの３つの端子収容穴３２は、Ｚ方向の一方側に形成されており、残りの２つの端子収容穴３２は、Ｚ方向の他方側に形成されている。５つの端子収容穴３２は、Ｘ方向とＺ方向との双方に直交するＹ方向において、略等間隔で配置されている。Ｙ方向において、５つの端子収容穴３２は、Ｚ方向の一方側に配された端子収容穴３２とＺ方向の他方側に配された端子収容穴３２とが、交互に配されている。
【００２１】
図３に示すごとく、Ｘ方向において、端子収容穴３２は、ハウジング本体部３０における略全体に形成されている。端子収容穴３２は、その内側空間をＸ１側に開放する開口部３２１をＸ１側端部に有する。また、端子収容穴３２の内側空間におけるＸ２側に配されたハウジング３の壁部に、挿入孔３１が形成されている。
【００２２】
雄端子２は、ハウジング３の挿入孔３１に、Ｘ２側から圧入されており、雌端子４は、ハウジング３の開口部３２１から端子収容穴３２に挿入されている。すなわち、ハウジング３に対する雄端子２の組付向き（Ｘ１側）と、ハウジング３に対する雌端子４の組付向き（Ｘ２側）とは、反対方向である。
【００２３】
図３に示すごとく、端子収容穴３２の側壁のＸ２側端部には、ランス３２２が形成されている。ランス３２２は、端子収容穴３２の所定位置まで挿入された雌端子４を、Ｘ１側から係止している。これにより、雌端子４が端子収容穴３２の所定位置まで挿入された後に、雌端子４が端子収容穴３２のＸ１側に抜けることを防止している。
【００２４】
図３に示すごとく、ランス３２２は、Ｘ方向に長尺に形成されており、Ｚ方向に弾性的に撓むことができるよう構成されている。ランス３２２は、端子収容穴３２に雌端子４が挿入されると、雌端子４に形成された被係止部４１１に押されて弾性的に撓む。このように、ランス３２２が撓むことにより、Ｘ１側からＸ２側への端子収容穴３２への雌端子４の進入が許容される。
【００２５】
図３に示すごとく、雌端子４が端子収容穴３２の所定位置まで挿入されると、雌端子４の被係止部４１１がランス３２２のＸ２側に配され、ランス３２２の弾性的な復元力によってランス３２２が被係止部４１１のＸ１側に入り込む。これにより、ランス３２２が雌端子４の被係止部４１１を被係止部４１１のＸ１側から係止し、雌端子４の抜け止めがなされる。
【００２６】
図３に示すごとく、ハウジング本体部３０のＸ方向の中央部には、Ｚ方向の一方から他方に向かって凹んでなるリテーナ配置部３０１が形成されている。リテーナ配置部３０１には、リテーナ３４が係止されている。
【００２７】
図７に示すごとく、リテーナ３４は、ハウジング３に対するリテーナ３４の位置が仮係止位置にあるとき、ハウジング３の端子収容穴３２に対する雌端子４の脱着を許容する。また、図３に示すごとく、リテーナ３４は、ハウジング３に対するリテーナ３４の位置が本係止位置にあるとき、端子収容穴３２に挿入された雌端子４の抜け止めをする。
【００２８】
図３に示すごとく、リテーナ３４は、Ｘ方向に貫通する５つのリテーナ挿入穴３４１を有する。各リテーナ挿入穴３４１は、互いに異なる端子収容穴３２に配される。図３、図７に示すごとく、ハウジング３に対するリテーナ３４の位置が仮係止位置及び本係止位置である場合において、リテーナ３４のリテーナ挿入穴３４１は端子収容穴３２と連通している。
【００２９】
リテーナ挿入穴３４１は、Ｘ方向に雌端子４を挿通可能な程度の径に形成されている。図７に示すごとく、ハウジング３に対するリテーナ３４の位置が仮係止位置にあるとき、リテーナ挿入穴３４１の中心軸は、端子収容穴３２の中心軸と略一致する。それゆえ、ハウジング３に対するリテーナ３４の位置が仮係止位置にあるとき、端子収容穴３２に対する雌端子４の脱着が許容される。
【００３０】
そして、図７に示すごとく、仮係止位置にあるリテーナ３４を、ハウジング３のリテーナ配置部３０１の奥側に向かって押し込むことにより、図３に示すごとく、リテーナ３４が本係止位置に配される。リテーナ３４が本係止位置にあるとき、リテーナ３４の一部は、端子収容穴３２の所定位置まで挿入された雌端子４の後述の筒状部４１のＸ１側の空間に入り込む。これにより、リテーナ３４が本係止位置にあるとき、リテーナ３４が雌端子４の筒状部４１を筒状部４１のＸ１側から係止し、端子収容穴３２からの雌端子４の抜け止めがなされる。
【００３１】
図１、図４に示すごとく、ハウジング本体部３０には、端子収容穴３２に対してＺ方向及びＹ方向に隣り合う位置に、Ｘ方向における両面がＸ方向に凹んでなる肉抜部３０２が形成されている。図３に示すごとく、肉抜部３０２は、Ｘ方向におけるハウジング本体部３０の端面から、リテーナ配置部３０１の手前まで形成されている。肉抜部３０２は、ハウジング３の軽量化や、ハウジング３におけるヒケの発生の防止等の役割を果たす。
【００３２】
図１、図２に示すごとく、ハウジング係合部３３は、ハウジング本体部３０と一体的に形成されている。すなわち、ハウジング係合部３３とハウジング本体部３０とを有するハウジング３全体は、一部材で構成されており、例えば複数部材を接合等したものではない。ハウジング係合部３３は、ハウジング本体部３０のＹ方向の両端からＸ２側に形成されている。
【００３３】
図１に示すごとく、ハウジング係合部３３は、ハウジング可撓片３３１とハウジング規制部３３２とを有する。ハウジング可撓片３３１は、ハウジング本体部３０のＹ方向の両端のそれぞれにおける、Ｚ方向の中央部からＸ２側に形成されている。
【００３４】
図１に示すごとく、ハウジング可撓片３３１は、Ｙ方向に厚みを有するとともに、Ｘ方向に長尺な板状に形成されている。ハウジング可撓片３３１は、Ｙ方向に弾性的に撓むことができるよう構成されている。図１、図２に示すごとく、一対のハウジング可撓片３３１は、Ｘ１側端部に、互いにＹ方向に離れる側に突出するよう形成された係合突起部３３１ａを有する。
【００３５】
図２に示すごとく、一対のハウジング可撓片３３１は、回路基板１１においてＺ方向に貫通形成された基板係合孔１１１に、挿入される。ここで、一対の係合突起部３３１ａが基板係合孔１１１を通過する際は、一対のハウジング可撓片３３１は互いにＹ方向に近付く方向に撓みながら、基板係合孔１１１に挿入される。そして、係合突起部３３１ａが基板係合孔１１１を通過し、回路基板１１のＸ２側に配されると、一対のハウジング可撓片３３１は、弾性的な復元力により、Ｙ方向における互いに遠ざかる側に変形し、元の形状に戻る。これにより、係合突起部３３１ａが、回路基板１１における基板係合孔１１１の周囲の部位とＸ方向に係合し、ハウジング３が基板係合孔１１１から抜けなくなる。
【００３６】
図１、図３に示すごとく、ハウジング可撓片３３１のＺ方向の両側には、ハウジング規制部３３２が形成されている。ハウジング規制部３３２は、ハウジング可撓片３３１と平行に形成されている。また、ハウジング規制部３３２は、ハウジング可撓片３３１よりもＸ方向に短く形成されており、Ｘ２側の端部が、ハウジング可撓片３３１のＸ２側の端部よりもＸ１側の位置に形成される。
【００３７】
図１、図３に示すごとく、一対のハウジング可撓片３３１が回路基板１１の基板係合孔１１１に係合された状態において、ハウジング規制部３３２のＸ２側の面は、回路基板１１のＸ１側の面に対向している。これにより、一対のハウジング可撓片３３１が回路基板１１の基板係合孔１１１に係合された状態においては、回路基板１１は、ハウジング規制部３３２とハウジング可撓片３３１の係合突起部３３１ａとの間に挟まれる状態となる。それゆえ、一対のハウジング可撓片３３１が回路基板１１の基板係合孔１１１に係合された状態において、回路基板１１に対するハウジング３のＸ方向の変位は、ハウジング規制部３３２とハウジング可撓片３３１の係合突起部３３１ａとによって制限される。
【００３８】
図１〜図３に示すごとく、雄端子２は、ピン状（柱状）の金属材料からなる。雄端子２は、Ｘ１側の端部が、挿入孔３１から端子収容穴３２に挿入されている。また、雄端子２は、Ｘ２側に形成された外側端子部２１が、挿入孔３１からＸ２側に突出している。
【００３９】
図１、図３に示すごとく、外側端子部２１は、Ｘ方向に交差する方向に屈曲されるとともに回路基板１１の厚み方向（Ｘ方向）に伸縮可能なクランク部２１１を備える。クランク部２１１は、外側端子部２１の中央部が、Ｚ方向の一方側にＵ字状に屈曲するよう形成されている。そして、雄端子２は、クランク部２１１以外の部位が、Ｘ方向にまっすぐ形成されたピン状（柱状）に形成されている。
【００４０】
図１に示すごとく、雄端子２は、少なくとも回路基板１１に接続される外側端子部２１の長手方向に直交する断面が、凸多角形又は円形である。凸多角形とは、すべての内角がそれぞれ１８０°未満である多角形を意味する。本実施形態において、雄端子２は、全体において、雄端子２の長手方向に直交する断面形状が正方形である。外側端子部２１は、クランク部２１１のＸ２側の部位が、回路基板１１のスルーホールにＸ方向に挿入されて、回路基板１１にはんだ付けされる。
【００４１】
図３に示すごとく、雌端子４は、筒状部４１とかしめ部４２とを備える。筒状部４１は、板状の導電部材を矩形筒状に形成してなる。筒状部４１は、Ｘ２側の端部から筒状部４１の内側に雄端子２を挿入できるよう構成されている。ハウジング３に対するリテーナ３４の位置が本係止位置にあるとき、筒状部４１のＸ１側にはリテーナ３４の一部が配されており、筒状部４１がリテーナ３４にＸ方向に当接することにより、雄端子２の抜け止めがなされている。なお、雌端子４が端子収容穴３２の所定位置に配された状態において、雌端子４の筒状部４１は、リテーナ３４の若干Ｘ２側に離れた位置に配されている。
【００４２】
図３に示すごとく、筒状部４１には、Ｚ方向における雄端子２側に向かって隆起するとともに雄端子２に接触する隆起部４１２と、隆起部４１２に対向するとともに、隆起部４１２の反対側から雄端子２に弾性接触する弾性接触片４１３とが形成されている。
【００４３】
弾性接触片４１３は、Ｚ方向に弾性的に撓むことができるよう構成されている。弾性接触片４１３は、筒状部４１の内側に雄端子２が挿入されると、当該雄端子２に押されてＺ方向における隆起部４１２と反対側に撓む。これにより、雄端子２は、隆起部４１２と弾性接触片４１３との間に弾性的に挟持される。そして、雄端子２は、隆起部４１２と弾性接触片４１３との間に弾性的に挟持された状態において、筒状部４１に対してＸ方向に摺動可能に構成されている。すなわち、雄端子２は、筒状部４１に対して固着されていない。
【００４４】
図３に示すごとく、雌端子４は、Ｚ方向における隆起部４１２に対する弾性接触片４１３が形成された側の反対側に、被係止部４１１が形成されている。被係止部４１１は、筒状部４１のＸ２端部からＸ１側に形成されており、Ｘ１側に向かうほどＺ方向の隆起部４１２側と反対側に向かうよう形成されている。そして、被係止部４１１のＸ１側端部が、ランス３２２に係止されている。
【００４５】
図３に示す語ごとく、かしめ部４２は、電線５の端部をかしめている。電線５は、導電性を有する導電部５１と、導電部５１を被覆する電気的絶縁性を有する被覆部５２とを有する。電線５の端部は、導電部５１が被覆部５２から露出した露出導電部５１１となっている。かしめ部４２は、露出導電部５１１にかしめられる第一かしめ部４２１と、第一かしめ部４２１のＸ１側に形成されて、被覆部５２の端部にかしめられる第二かしめ部４２２とを備える。
【００４６】
次に、本実施形態の作用効果につき説明する。
前記態様のハーネス部品１において、ハウジング３の各挿入孔３１に雄端子２が挿入されており、かつ、当該ハウジング３に形成された複数の端子収容穴３２のそれぞれに雌端子４が挿入されている。それゆえ、ハウジング３の数が増加することを防ぐことができ、部品点数の削減や小型化を図りやすい。
【００４７】
また、雄端子２と雌端子４とは、各端子収容穴３２内において接続される。それゆえ、雄端子２を挿入孔３１から端子収容穴３２内に挿入するとともに、雌端子４を開口部３２１から端子収容穴３２内に挿入することで、ハウジング３に対する雄端子２及び雌端子４の位置決めが容易である。また、複数の雌端子４は、一つずつハウジング３の各端子収容穴３２に挿入されて雄端子２と接続されるため、雌端子４をハウジング３に組み付ける際の雌端子４のガタ付きが防止される。それゆえ、ハーネス部品１の生産性を向上させやすい。
【００４８】
また、雌端子４は、各雄端子２に前記端子収容穴３２の軸方向に直交する方向に弾性力を作用させつつ接触する。それゆえ、雄端子２と雌端子４とが、Ｘ方向に互いに摺動可能である。そのため、雌端子４に接続された電線５が引っ張られた場合でも、雌端子４と雄端子２とが摺動するため、この引っ張りによる力が雄端子２と回路基板１１との接合部に作用し難い。それゆえ、雄端子２と回路基板１１との接続性を向上させやすい。
【００４９】
また、雄端子２は、ハウジング３の挿入孔３１に、端子収容穴３２における開口部３２１が形成された側と反対側から圧入されており、雌端子４は、ハウジング３の開口部３２１から端子収容穴３２に挿入されている。つまり、ハウジング３に対する雄端子２の組付向き（Ｘ１側）と、ハウジング３に対する雌端子４の組付向き（Ｘ２側）とは、反対方向である。それゆえ、ハーネス部品１を組み付けるに当たっては、図５に示すごとく、挿入孔３１に雄端子２を圧入し、次に端子収容穴３２に開口部３２１から雌端子４を組み付けることも可能であるし、図６に示すごとく、端子収容穴３２に対して開口部３２１から雌端子４を組み付け、次に挿入孔３１に雄端子２を圧入することも可能である。そのため、ハーネス部品１の組付工程の自由度を向上させることができる。また、圧入により雄端子２を挿入孔３１に固定しているため、別途雄端子２をハウジング３に固定する機構を設ける必要がない。それゆえ、ハーネス部品１の生産性を向上させやすい。
【００５０】
また、挿入孔３１から開口部３２１側の反対側に突出した雄端子２の外側端子部２１は、Ｘ方向に交差する方向に屈曲されるとともに回路基板１１の厚み方向に伸縮可能なクランク部２１１を備える。それゆえ、例えば回路基板１１に接続されたハーネス部品１に外力が加わった場合でも、クランク部２１１がＸ方向に伸縮することで外側端子部２１と回路基板１１との接合部に応力生じることを抑制することができる。
【００５１】
ここで、クランク部２１１は、屈曲した形状を有すため、例えばハウジング３を、ハウジング３の成形型の内側に雄端子２を配置したインサート成形によって製造した場合、成形後に成形型を抜き取る際、クランク部２１１が障害物となり、成形型が抜き難い。そのため、成形型にスライド機構等の特別な構造を設ける必要が生じ、ハーネス部品１全体の生産性が低下する。一方、本実施形態においては、雄端子２は、ハウジング３に対して圧入により固定されている。それゆえ、雄端子２にクランク部２１１を設けることによってハーネス部品１の生産性が低下することを抑制できる。
【００５２】
また、ハウジング３は、回路基板１１に係合するハウジング係合部３３を一体に備える。それゆえ、ハウジング係合部３３においてハウジング３を回路基板１１に係合し、ハウジング３と回路基板１１との間の位置を固定した上で、雄端子２と回路基板１１とのはんだ付け等の接合作業を行うことができる。さらに、ハウジング３は、ハウジング係合部３３を一体に備えるため、ハウジング係合部３３を設けても部品点数が増加することがない。
【００５３】
また、ハウジング３には、リテーナ３４が係止されている。リテーナ３４は、ハウジング３に対するリテーナ３４の位置が仮係止位置にあるとき、ハウジング３の端子収容穴３２に対する雌端子４の脱着を許容し、ハウジング３に対するリテーナ３４の位置が本係止位置にあるとき、端子収容穴３２に挿入された雌端子４の抜け止めをする。それゆえ、１つのハウジング３で雄端子２と雌端子４との双方を保持する構成においても、雌端子４がハウジング３から抜け落ちることを抑制しやすい。
【００５４】
また、雄端子２における回路基板１１にはんだ付けされる外側端子部２１は、外側端子部２１の長手方向に直交する断面の形状が凸多角形又は円形である。それゆえ、例えば外側端子部２１を、板状の金属部材を、断面Ｕ字状となるよう折り曲げてなるタブ状の端子に形成した場合に比べ、はんだにボイドが形成されることを防止できる。すなわち、外側端子部２１をタブ状に形成した場合、断面Ｕ字状の外側端子部２１に囲まれた空間に空気が残り、はんだにボイドが生じやすい。一方、外側端子部２１を断面が凸多角形又は円形となるよう形成することで、Ｘ方向に直交する外側端子部２１の断面に、外側端子部２１に囲まれる空間が形成されないため、はんだにボイドが生じることを抑制することができる。
【００５５】
以上のごとく、本実施形態によれば、部品点数の削減、及び小型化を図ることができるハーネス部品を提供することができる。
【００５６】
本発明は、前記各実施形態に限定されるものではなく、その要旨を逸脱しない範囲において種々の実施形態に適用することが可能である。
【符号の説明】
【００５７】
１  ハーネス部品
２  雄端子
２１  外側端子部
２１１  クランク部
３  ハウジング
３１  挿入孔
３２  端子収容穴
３２１  開口部
３３  ハウジング係合部
３４  リテーナ
４  雌端子
５  電線
【図１】
2020095900.tif 000003
【図２】
2020095900.tif 000004
【図３】
2020095900.tif 000005
【図４】
2020095900.tif 000006
【図５】
2020095900.tif 000007
【図６】
2020095900.tif 000008
【図７】
2020095900.tif 000009